【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
２つの画像又は２つのビデオのうちの１つが高ダイナミックレンジの画像又はビデオである、複数の画像のうちの当該２つの画像又は２つのビデオを合成するための装置であって、前記装置は、
複数の画像のうちの前記２つの画像又は前記２つのビデオのうちの少なくとも１つの画像又はビデオの最大輝度と、複数の画像のうちの前記２つの画像又は前記２つのビデオをレンダリングするためのディスプレイのピーク明度とのうちの少なくとも１つに基づいて決定される最大輝度を少なくとも特徴とする合成輝度ダイナミックレンジを確立するダイナミックレンジ確立ユニットであって、前記ダイナミックレンジ確立ユニットが、前記合成輝度ダイナミックレンジにおけるアンカー輝度を決定する輝度アンカー決定ユニットをさらに含む、ダイナミックレンジ確立ユニットと、
前記２つの画像又はビデオの少なくとも１つに少なくとも輝度変換を実行する色変換ユニットであって、前記色変換ユニットは、前記２つの画像又はビデオの第１の画像又はビデオを供給する第１のソースからのメタデータから少なくとも１つのソースアンカー輝度を読み出すソースアンカー輝度読み出しユニットを含み、前記色変換ユニットは、前記第１の画像又はビデオに適用される色変換を確立し、前記色変換は、前記ソースアンカー輝度が前記アンカー輝度の近傍の出力輝度にマッピングされるという性質を有することによって、前記ソースアンカー輝度の値に依存する、色変換ユニットと、
複数の画像のうちの前記２つの画像又は２つのビデオを合成して、少なくとも１つの出力画像を形成する画像合成ユニットと
を含む、装置。
【請求項２】
前記色変換ユニットは、少なくとも１つの前記ソースアンカー輝度と等しい前記第１の画像又はビデオのピクセルの色の入力輝度に前記色変換を適用した結果として決定される出力輝度が、前記アンカー輝度と等しくなるように、前記色変換を決定する、請求項１に記載の装置。
【請求項３】
前記色変換ユニットは、第２の入力輝度に前記色変換を適用した結果として決定される第２の出力輝度を前記出力輝度で割った輝度比が、前記第２の入力輝度を前記ソースアンカー輝度で割った比の定数倍になるように、前記色変換を決定する、請求項２に記載の装置。
【請求項４】
前記色変換ユニットは、少なくとも１つの前記ソースアンカー輝度に基づいて輝度オフセットを決定する偏差決定ユニットを含み、前記色変換ユニットは、少なくとも１つの前記ソースアンカー輝度と等しい前記第１の画像又はビデオのピクセルの色の入力輝度に前記色変換を適用した結果として決定される出力輝度が、前記アンカー輝度と前記輝度オフセットとの和と等しくなるように、前記色変換を決定する、請求項１乃至３のいずれか一項に記載の装置。
【請求項５】
前記色変換ユニットは、前記２つの画像又はビデオの第２の画像又はビデオを供給する第２のソースから得られた少なくとも１つの第２のソースアンカー輝度を読み出し、前記偏差決定ユニットは、少なくとも１つの前記第２のソースアンカー輝度にも基づいて前記輝度オフセットを決定する、請求項４に記載の装置。
【請求項６】
前記色変換ユニットは、前記第１の画像又はビデオを、前記第１の画像又はビデオの符号化に関連するダイナミックレンジから、少なくとも乗算係数２だけ異なるピーク明度を有するダイナミックレンジにマッピングするために前記第１の画像又はビデオにおけるオブジェクトの輝度分布の変化を指定する第１の色再マッピング関数にも依存して前記第１の画像又はビデオに適用される色変換を確立し、又は、前記色変換ユニットは、第２の画像又はビデオを、前記第２の画像又はビデオの符号化に関連するダイナミックレンジから、少なくとも乗算係数２だけ異なるピーク明度を有するダイナミックレンジにマッピングするために前記第２の画像又はビデオにおけるオブジェクトの輝度分布の変化を指定する第２の色再マッピング関数にも依存して前記第２の画像又はビデオに適用される色変換を確立する、請求項１乃至５のいずれか一項に記載の装置。
【請求項７】
前記ダイナミックレンジ確立ユニットは、前記２つの画像又はビデオのうちの少なくとも１つに存在する輝度に依存して、前記合成輝度ダイナミックレンジを確立する、請求項１乃至６のいずれか一項に記載の装置。
【請求項８】
前記ダイナミックレンジ確立ユニットは、少なくとも１つの前記出力画像がレンダリングされるディスプレイのピーク明度に依存して、及び好ましくは視聴環境の明度特性にも依存して、前記合成輝度ダイナミックレンジを確立する、請求項７に記載の装置。
【請求項９】
前記輝度アンカー決定ユニットは、前記合成輝度ダイナミックレンジ、前記２つの画像又はビデオの少なくとも１つの画像又はビデオの輝度、少なくとも１つの前記出力画像がレンダリングされるディスプレイのピーク明度、及び視聴環境の明度特性のうちの少なくとも１つに依存して前記アンカー輝度を決定する、請求項１乃至８のいずれか一項に記載の装置。
【請求項１０】
２つの画像又は２つのビデオのうちの１つが高ダイナミックレンジの画像又はビデオである、複数の画像のうちの当該２つの画像又は２つのビデオを合成するための方法であって、前記方法は、
複数の画像のうちの前記２つの画像又は前記２つのビデオのうちの少なくとも１つの画像又はビデオの最大輝度、及び、複数の画像のうちの前記２つの画像又は前記２つのビデオをレンダリングするためのディスプレイのピーク明度の少なくとも１つに基づいて決定される最大輝度を少なくとも特徴とする合成輝度ダイナミックレンジを確立するステップであって、前記確立するステップが、前記合成輝度ダイナミックレンジにおけるアンカー輝度を決定するステップをさらに含む、確立するステップと、
前記２つの画像又はビデオの少なくとも１つに少なくとも輝度変換から構成される色変換を適用するステップであって、前記色変換は、前記２つの画像又はビデオの第１の画像又はビデオを供給する第１のソースからのメタデータから読み出されるソースアンカー輝度の値に基づいて確立され、前記色変換は、前記ソースアンカー輝度が前記アンカー輝度の近傍の出力輝度にマッピングされるという性質を有する、適用するステップと、
複数の画像のうちの前記２つの画像又は２つのビデオを前記合成輝度ダイナミックレンジにおけるそれらのピクセル色を用いて合成して、少なくとも１つの出力画像を形成するステップと
を有する、方法。
【請求項１１】
前記色変換は、少なくとも１つの前記ソースアンカー輝度と等しい前記第１の画像又はビデオのピクセルの色の入力輝度に前記色変換を適用した結果として決定される出力輝度が、前記アンカー輝度と等しくなるように又は前記アンカー輝度と決定された差との和と等しくなるように、決定される、請求項１０に記載の方法。
【請求項１２】
前記色変換は、第２の入力輝度に前記色変換を適用した結果として決定される第２の出力輝度を前記出力輝度で割った輝度比が、前記第２の入力輝度を前記ソースアンカー輝度で割った比の定数倍になるように、決定される、請求項１０又は１１に記載の方法。
【請求項１３】
複数の画像のうちの第２の画像又はビデオの色変換は、前記２つの画像又はビデオの第２の画像又はビデオを供給する第２のソースから得られた少なくとも１つの第２のソースアンカー輝度に基づいて決定される、請求項１０乃至１２のいずれか一項に記載の方法。
【請求項１４】
前記少なくとも２つの画像又はビデオのそれぞれに適用される前記色変換の少なくとも１つは、それぞれの画像又はビデオが、当該画像又はビデオが符号化される対応するダイナミックレンジから少なくとも２倍以上又はそれ以下のダイナミックレンジにどのように変換されるかを示す少なくとも１つの受信関数に少なくとも部分的に基づいて決定される、請求項１０乃至１３のいずれか一項に記載の方法。
【請求項１５】
前記合成輝度ダイナミックレンジ及び前記アンカー輝度のうちの少なくとも１つは、前記２つの画像のうちの少なくとも１つにおけるオブジェクトの輝度分布依存性質、前記２つの画像のうちの少なくとも１つの画像の輝度特性を要約する情報、合成された少なくとも１つの前記出力画像がレンダリングされるディスプレイのダイナミックレンジ、及び前記出力画像が見られる視聴環境のための明度測定値のセットからの少なくとも１つの要因に基づいて決定される、請求項１０乃至１４のいずれか一項に記載の方法。